(57)【要約】【課題】チケット用紙に設けられたカットマークをセンサにて検知する事でチケット用紙を切り離す場合、カット位置に用紙を搬送した時点で滑りによる誤差が発生し、切り離しのカット位置がずれてしまう。【解決手段】第１および第２のチケット用紙に設けられた切断位置を決定する切断用コードを検知するコード検知手段と、前記第１および第２のチケット用紙を切断する切断手段と、前記切断用コード検知後に前記切断手段による切断位置と前記第１のチケット用紙と前記第２のチケット用紙の境目を一致させる切断位置補正手段とを設けた。これにより、切り離しのカット位置のずれを減少させる。【選択図】  図２
2014040072.tif 000002
【特許請求の範囲】
【請求項１】
発券するチケット用紙の、一方の面に発券するチケットを特定する特定用コードおよび検知することにより切断位置を決定する切断用コードが設けられた第１のチケット用紙及び、一方の面に発券するチケットを特定する特定用コードおよび検知することにより切断位置を決定する切断用コードが設けられ前記第１のチケット用紙につながっている第２のチケット用紙を搬送するチケット用紙搬送手段と、
前記第１のチケット用紙および前記第２のチケット用紙のチケット用紙に設けられた前記特定用コードおよび切断用コードを検知するコード検知手段と、
前記切断用コードを前記コード検知手段にて検知直後に前記第１のチケット用紙と前記第２のチケット用紙の境目を切断する切断手段と、
を有するチケットプリンタ。
【請求項２】
前記チケットプリンタは、前記切断用コード検知後に、前記チケット用紙搬送手段により、前記切断手段による切断位置と前記第１のチケット用紙と前記第２のチケット用紙の境目とを一致させる切断位置補正手段をさらに有する請求項１に記載のチケットプリンタ。
【請求項３】
前記コード検知手段にて検知される前記特定用コードおよび切断用コードを有した前記第１のチケット用紙および前記第２のチケット用紙の前記チケット用紙搬送手段による搬送方向と、前記切断位置補正手段による、前記切断手段による切断位置と前記第１のチケット用紙と前記第２のチケット用紙の境目とを一致させる前記チケット用紙搬送手段による前記第１のチケット用紙および前記第２のチケット用紙の搬送方向は同一である請求項２に記載のチケットプリンタ。
【発明の詳細な説明】
【技術分野】
【０００１】
本発明の実施形態は、チケットプリンタに関する。
【背景技術】
【０００２】
コンサートのチケット、映画鑑賞用チケット等各種チケットを発行する店舗は数多く存在しており、チケット購入希望者はこれらチケット発行店舗へ行きチケットの購入をおこなう。
【０００３】
これらチケットの発行は各店舗に設置されている情報管理端末とこれにつながっているホストコンピュータとのやり取りにてチケットの発券情報を得、上位ホストコンピュータより得た発券許可情報を元に前記情報管理端末に接続されているプリンタにて発券をおこなう。
【０００４】
これらプリンタは、発券の際、その固有のチケット番号等を発行店舗名などと共にホストコンピュータに対し送付する。ホストコンピュータではこれら固有チケット番号、発行店舗情報、チケット発券情報を関連付けて保管している。この情報を元に、どのチケットはいつどこで発券されたものか、そのチケット用紙の固有の情報は何番なのか等が追跡可能となっている。
【０００５】
チケット用紙はその取り扱い等の関係からロール状に巻かれた状態になっており、都度一枚ごとにカットされてチケットとして発行される。発行に際しては、チケット用紙に設けられたカットマークをセンサにて検知する事でカット位置を決定している。
【先行技術文献】
【特許文献】
【０００６】
【特許文献１】特開平５−１８５６７５号公報
【発明の概要】
【発明が解決しようとする課題】
【０００７】
チケットの発行に際しては、チケット用紙に設けられたカットマークをセンサにて検知する事で第１のチケット用紙とこれにつながっている第２のチケット用紙と切り離すカット位置を決定している。しかしながらチケット用紙を挟持して搬送をおこなう際、搬送ローラとチケット用紙との接触部分に滑りが発生する場合がある。この為、チケット用紙に設けられたカットマークをセンサにて正しく検知しても実際にカット位置に用紙を搬送した時点で滑りによる誤差が発生し、前記切り離しのカット位置がずれてしまう。
【０００８】
本発明は切断用コード検知後に切断手段による切断位置と前記第１のチケット用紙と前記第２のチケット用紙の境目を一致させる切断位置補正手段とを有するチケットプリンタを提供する。
【課題を解決するための手段】
【０００９】
一形態のチケットプリンタは、発券するチケット用紙の、一方の面に発券するチケットを特定する特定用コードおよび検知することにより切断位置を決定する切断用コードが設けられた第１のチケット用紙及び、一方の面に発券するチケットを特定する特定用コードおよび検知することにより切断位置を決定する切断用コードが設けられ前記第１のチケット用紙につながっている第２のチケット用紙を搬送するチケット用紙搬送手段と、前記第１のチケット用紙および前記第２のチケット用紙のチケット用紙に設けられた前記特定用コードおよび切断用コードを検知するコード検知手段と、前記切断用コードを前記コード検知手段にて検知直後に前記第１のチケット用紙と前記第２のチケット用紙の境目を切断する切断手段と、を有するチケットプリンタである。
【図面の簡単な説明】
【００１０】
【図１】本発明の第１の実施形態によるチケット発券システムのシステム構成図。
【図２】本発明の第１の実施形態によるチケットプリンタの構成を示す構造図。
【図３】本発明の第１の実施形態によるチケットプリンタの上カバーを開放した際の構成を示す構造図。
【図４】本発明の第１の実施形態によるチケットプリンタの搬送部を示す平面図。
【図５】本発明の第１の実施形態によるチケットプリンタに用いるチケット用紙を示す平面図。
【図６】本発明の第１の実施形態によるチケットプリンタの制御ブロック図。
【図７】本発明の第１の実施形態による外部サーバ端末の構成例を示すブロック図。
【図８】本発明の第１の実施形態によるＰＯＳ端末の構成例を示すブロック図。
【図９】本発明の第１の実施形態によるチケットプリンタのスタンバイ状態移行の流れを示す流れ図。
【図１０】本発明の第１の実施形態によるチケット発券システムの発券の流れを示す流れ図。
【図１１】本発明の第１の実施形態によるチケットプリンタの１枚目のチケット用紙のカットマークコード取得時の位置関係側面図。
【図１２】本発明の第１の実施形態によるチケットプリンタの２枚目のチケット用紙のカットマークコード取得時の位置関係側面図。
【図１３】本発明の第２の実施形態によるチケットプリンタのカットマークコード取得時の位置関係側面図。
【図１４】本発明の第３の実施形態によるチケットプリンタのカットマークコード取得時の位置関係側面図。
【発明を実施するための形態】
【００１１】
以下に本発明の一実施形態にかかるチケットプリンタおよびそのチケットプリンタを備えたチケット発券システムを図面を参照して詳細に説明する。なお今回は映画のチケットを購入する場合を例に説明する。
【００１２】
（第１の実施形態）
一実施形態のシステム構成例を図１に示す。
【００１３】
このチケット販売システム１０５は、チケット内容を把握し管理している外部サーバ１０３とこの外部サーバ１０３にネットワークで接続されている店舗Ａ１、店舗Ｂ２および店舗Ｃ３とからなる。
【００１４】
店舗Ａ１はチケットの発券をおこなうＰＯＳ端末４と、このＰＯＳ端末４からの発券指令に基づき実際のチケットを出力するチケットプリンタ５を有す。
【００１５】
店舗Ｂ２はチケットの発券をおこなうＰＯＳ端末４と、このＰＯＳ端末４からの発券指令に基づき実際のチケットを出力するチケットプリンタ５を有す。
【００１６】
店舗Ｃ３はチケットの発券をおこなうＰＯＳ端末４と、このＰＯＳ端末４からの発券指令に基づき実際のチケットを出力するチケットプリンタ５を有す。
【００１７】
ここで店舗数は３にて説明をしているが、このシステムにおける店舗数は１、２店舗もしくは４店舗以上であってもなんら問題はない。
【００１８】
図２乃至図４に本実施の形態にかかるチケットプリンタ５の要部構成を示す。図２はチケットプリンタ５の使用状態を、図３はプリンタ上カバー７を開放している状態を示している。なお、このプリンタでは、図２において、巻軸１３に巻回されているチケット用紙８は図中Ｃ方向に回転し、搬送の際は右側から左側に向けて搬送されるので、以下の説明においては、図２中右側を上流側、左側を下流側とする。
【００１９】
チケットプリンタ５はプリンタ下カバー９に対し、プリンタ上カバー７が支軸１０を回動中心として開閉可能に取り付けられている。チケット用紙８は裏面１２が内側になるような状態で巻軸１３に巻回されており、この巻軸１３はチケットプリンタ５に回転自在に支持されている。巻回されたチケット用紙８はその下流にあるフィードローラ１４と、このフィードローラ１４に対し用紙搬送路１５を挟んで対向配置されているアイドラローラ１６との挟持により下流側に搬送される。
【００２０】
フィードローラ１４の下流には、チケット用紙８の裏面１２に設けられているコードを認識する第１のセンサ１７および第２のセンサ１８が設けられている。
【００２１】
さらにその下流にはプラテンローラ１９が設けられ、このプラテンローラ１９に対し用紙搬送路１５を挟んでサーマル印字ヘッド２０が対向配置されている。
【００２２】
さらにその下流にはカッタ２１が配置されている。このカッタ２１は固定刃２２と可動刃２３とを有しており、カッタ２１のスリット(図示せず)に挿入されてきたチケット用紙８を固定刃２２に向け可動刃２３を図示しないモータ駆動によりスライド移動することで切断する。
【００２３】
ここでカッタ２１は固定刃２２に向け可動刃２３がスライド移動するいわゆるスライド式カッタで説明したがこれに限定されるものではなく、固定刃に対し可動刃が回転することで用紙を切断するいわゆるロータリー式カッタであってもよい。
【００２４】
さらにカッタ２１の下流側には、チケット用紙８の表面１１に対してサーマル印字ヘッド２０にて印字を実施した後、カッタ２１にて所定の長さに切断後チケットプリンタ５から排出する排出口２４が設けられている。またプリンタ下カバー９における排出口２４の下方には切断されたチケット用紙８を、保持する排出テーブル２５が設けられている。
【００２５】
またチケットプリンタ５のプリンタ上カバー７には表示部２６が設けられている。この表示部２６はＬＣＤ等の液晶ディスプレイであり、チケット発券時の情報を表示したり、またチケットプリンタ５におけるチケット用紙８の紙詰まり、チケット用紙８の用紙切れ等のエラー表示をおこなう機能を有している。
【００２６】
図４は図３におけるＡ方向より用紙搬送路１５を見た要部構成図である。また図５（ａ）（ｂ）に一例としてのチケット用紙８の表面１１と裏面１２の印刷例を示す。
【００２７】
図４中右側が上流側で左側が下流側であり、チケット用紙８は図中右から左に向かって図中Ｄ方向に、チケットプリンタ５に設けられている一対の搬送横ガイド２７により斜行することを防ぎながら搬送される。用紙搬送路１５にはチケット用紙８の裏面１２に設けられたブラックマーク２８（図５（ｂ）参照）を検知する第１のセンサ１７と、チケット用紙８の裏面１２に設けられたカットマーク２９、スタートマーク３０、チケット固有データ３１、チェックデジット３２およびエンドマーク３３（いずれも図５（ｂ）参照）を検知する第２のセンサ１８がチケット用紙８の搬送方向に対して直交する方向で並んで設けられている。
【００２８】
図５に示す様に、チケット用紙８は複数枚のチケット用紙８がつながった状態でロール状に巻回されチケットプリンタ５に装填される。図５においては１枚目であるチケット用紙８につながっている２枚目のチケット用紙をチケット用紙８−２として示している。図５（ａ）はチケット用紙８の表面１１を示したもので、サーマル印字ヘッド２０にてその券面に印字をおこなう。
【００２９】
図５（ｂ）はチケット用紙８の裏面１２を示したものである。チケット用紙８の裏面１２には予めブラックマーク２８、カットマーク２９、スタートマーク３０、チケット固有データ３１、チェックデジット３２およびエンドマーク３３が設けられている。これら各マークについては後述する。なおここではチケット用紙８の裏面１２に設けられているチケット固有データ３１は前記チケット用紙８の搬送方向に沿って並ぶ白色や黒色のブロックを複数列並べたものをチケット固有データ３１としているが、これに限定するものではなく、例えばバーコードや二次元コード、英数字等であってもなんら問題なくこれらを総称してコードと呼ぶ。
【００３０】
チケット用紙８はカッタ２１にて図５（ａ）（ｂ）に二点鎖線にて示すチケット用紙８とチケット用紙８−２の境目であるカット位置３４にて切り離され発券される。
【００３１】
またチケット用紙８とチケット用紙８−２には予めミシン目３５が設けられている。このミシン目３５にてチケット用紙８は半券Ａ３６と半券Ｂ３７とに容易に切り離すことが可能となっており、例えば、チケット用紙８の実際の使用時において、半券Ａ３６を会場で担当者に渡し半券Ｂ３７を控えとしてチケット購入者に渡す使い方をする。
【００３２】
上述したチケットプリンタ５の制御部９０の一例を図６に示す。この制御部９０は、用紙搬送の制御をおこなう手段、印刷の制御をおこなう手段、用紙切断の制御をおこなう手段、用紙排出の制御をおこなう手段とからなっている。またチケットプリンタ５はＰＯＳ端末４、外部サーバ１０３とも接続されている。
【００３３】
この制御部９０は、ＰＯＳ端末４や外部サーバ１０３との連係および各種の制御の実行をおこなう、例えば、マイクロコンピュータで構成されている。制御部９０の中央処理装置（ＭＰＵ）９１は、プログラムに従って用紙搬送制御、印字制御、用紙切断制御、用紙排出制御等の各種の制御や演算をおこなう。
【００３４】
このＭＰＵ９１で実行する制御プログラムや制御または演算途上のデータや外部サーバ１０３からのデータ等を格納する主記憶手段としてＲＯＭ９２およびＲＡＭ９３が設置されている。ＲＯＭ９２は制御プログラムやテーブル等を持つ読出し専用メモリであり、ＲＡＭ９３は演算途上のデータや外部サーバ１０３からのデータ等を格納する随時書込みメモリである。
【００３５】
また、この制御部９０には、外部サーバ１０３からの各種の入力データの取込みや、外部サーバ１０３への制御部９０の制御出力の取出しをおこなう入出力ユニット（Ｉ／Ｏ）９４が設けられている。このＩ／Ｏ９４は、ＭＰＵ９１、ＲＯＭ９２およびＲＡＭ９３とをバスを通じて連係されている。
【００３６】
また、このＩ／Ｏ９４には制御出力を取り出すための手段として、第１から第６のドライバ９５、ドライバ９６，ドライバ９７，ドライバ９８，ドライバ９９およびドライバ１００が接続されている。フィードローラ１４はＭＰＵ９１のチケット用紙８の搬送指令手段としての制御出力に基づき、図示しないモータによりこのフィードローラ１４に対し用紙搬送路１５を挟んで対向配置されているアイドラローラ１６との挟持によりチケット用紙８を搬送する。
【００３７】
また制御部９０のＭＰＵ９１はドライバ９５を介して印字機構３８に対して印字及び用紙搬送の指令を出す。
【００３８】
また制御部９０のＭＰＵ９１はドライバ９６を介してフィードローラ１４に対して用紙搬送の指令を出す。
【００３９】
また制御部９０のＭＰＵ９１はドライバ９７を介してチケット用紙８の裏面１２に予め設けられているブラックマーク２８を検知する指令を第１のセンサ１７に対して出す。
【００４０】
また制御部９０のＭＰＵ９１はドライバ９８を介してチケット用紙８の裏面１２に予め設けられているカットマーク２９、スタートマーク３０、チケット固有データ３１、チェックデジット３２およびエンドマーク３３を検知する指令を第２のセンサ１８に対して出す。
【００４１】
印字機構３８は、図２にて説明したサーマル印字ヘッド２０およびプラテンローラ１９を備えている。このプラテンローラ１９は、ＭＰＵ９１の印字指令手段としての制御出力に基づき、図示しないモータにより印字動作と同期して回転駆動される。サーマル印字ヘッド２０は、外部サーバ１０３からの印字データに基づいて、チケット用紙８に印字をおこなう。
【００４２】
また、制御部９０のＭＰＵ９１はドライバ９９を介してカッタ２１を駆動させチケット用紙８を切断する。
【００４３】
また、制御部９０のＭＰＵ９１はドライバ１００を介して表示部２６にチケットプリンタ５のチケット発券時の情報やエラー内容等を表示する。
【００４４】
また制御部９０は、後述する切断位置補正部８０を有す。またチケットプリンタ５は後述するスタンバイ確認部１０１を有す。
【００４５】
図７に外部サーバ１０３の一例を示す。
【００４６】
外部サーバ１０３は、データ送受信部５１、店舗チケット情報５２、チケット販売情報保管部５３、条件保管部５４、チケットデータ保管部５５、チケットデータ送信部５６、発券可否判断部５７、正規チケット判断部５８、追跡データ条件入力部５９、関連付けデータ保管部６０を備えている。
【００４７】
チケット用紙８は複数枚のチケット用紙８をロール状に巻回してあるが、これらチケット用紙８の裏面に予め設けられているチケット固有データ３１は全て異なるデータとなっている。またこのチケット固有データ３１は同一の店舗内に装填されている複数枚のチケット用紙８で全てが異なるデータであるのみならず他店舗である店舗Ｂ２や店舗Ｃ３に装填されているチケット用紙８の全てのチケット用紙８記載のデータとも異なっている。
【００４８】
データ送受信部５１は、外部サーバ１０３とＰＯＳ端末４やチケットプリンタ５との間でのデータのやり取りを仲介する。
【００４９】
チケット固有データ３１は各店舗にチケットプリンタ５に用いる為にチケット用紙８が送られた時点で外部サーバ１０３に店舗チケット情報５２として保管されている。
【００５０】
チケット販売情報保管部５３は、映画会社、映画館等より入手した発券可能な映画チケットの情報（日付、時間、映画名、上映場所、座席等）を保管している。
【００５１】
条件保管部５４は、店舗Ａ１に来たチケット発券希望者もしくは店舗Ａ１にいるチケット発券代理手続者がＰＯＳ端末４を介して希望するチケットの条件を一時保管する部分であり、例えば○月○日のＡ映画館のＢという映画名といったデータが保管される。
【００５２】
チケットデータ保管部５５は、発券するチケットのデータを一時保管する。
【００５３】
チケットデータ送信部５６は、後述するＰＯＳ端末４のチケット発券指令部７５からのチケット発券依頼を受信し、チケットデータ保管部５５に対してチケットデータの送信、保管の指示や、チケットデータをチケットプリンタ５に対して送付する。
【００５４】
発券可否判断部５７は、チケット販売情報保管部５３のデータと条件保管部５４のデータとを比較し、チケット発券希望者が入力した条件でチケットの発券が可・不可のいずれかであるかを判断する。
【００５５】
正規チケット判断部５８は、チケットデータ保管部５５のデータと、店舗チケット情報５２とを比較し、正規の店舗から発券されたチケットであるか、正規のチケット用紙を用いているかを判断する。
【００５６】
追跡データ条件入力部５９は、発券されたチケットに対し何らかの理由でそのチケットの発券内容を追跡することとなった場合の検索条件を保管するとともに、関連付けデータ保管部６０よりこの条件の発券済チケットの情報を抽出する。
【００５７】
関連付けデータ保管部６０は、正規チケット判断部５８にて正規チケットであると判断された場合に、チケットデータと店舗チケット情報５２との関連付け後の情報を保管する。
【００５８】
図８にＰＯＳ端末４の一例を示す。
【００５９】
ＰＯＳ端末４は、データ送受信部７１、チケット固有データ保管部７２、チケット発券条件入力部７３、チケットデータ保管部７４、チケット発券指令部７５、チケット固有データ送信部７６を備えている。
【００６０】
データ送受信部７１は、ＰＯＳ端末４と外部サーバ１０３やチケットプリンタ５との間でのデータのやり取りを仲介する。
【００６１】
チケット固有データ保管部７２は、チケットプリンタ５より受信したチケット固有データ３１を保管する。
【００６２】
チケット発券条件入力部７３は店舗Ａ１に来たチケット発券希望者もしくは店舗Ａ１にいるチケット発券代理手続者が、希望するチケットの条件を入力する部分であり、例えば○月○日のＡ映画館のＢという映画名といったデータが保管される。
【００６３】
チケット発券指令部７５は、外部サーバ１０３の発券可否判断部５７での発券可能との情報を得て、外部サーバ１０３のチケットデータ送信部５６へチケット発券の依頼をおこなう。
【００６４】
以下、チケットの購入の方法を図６乃至図１４を用いて説明する。
【００６５】
チケットプリンタ５にはスタンバイ確認部１０１が設けられている。このスタンバイ確認部１０１には後述する様にチケットプリンタ５がチケット用紙８を発行可能状態にスタンバイしているかの情報が保管されている。
【００６６】
このスタンバイ確認部１０１に保管されているデータはチケットプリンタ５の電源のＯＮ／ＯＦＦでは消去されることはない。しかし、チケットプリンタ５のチケット用紙８を装填する部分に設けられている図示しない用紙切れセンサが用紙切れを検知した場合や何らかの理由にてチケットプリンタ５から巻回された状態のチケット用紙８を取り出した場合等用紙切れセンサが用紙切れを検知した場合にはスタンバイ確認部１０１に保管されているデータは消去される様に設定されている。また新規にチケットプリンタ５を設置した場合においてもスタンバイ確認部１０１には何のデータも保管されていない。
【００６７】
またチケットプリンタ５の制御部９０は、スタンバイ確認部１０１にデータが保管されていない場合は、チケット用紙８に設けられているカットマーク２９、スタートマーク３０、チケット固有データ３１、チェックデジット３２およびエンドマーク３３を検知してもこれらマークを無視する設定としてある。
【００６８】
チケットの発券において、チケットプリンタ５へのチケット用紙８の装填を含めチケットプリンタ５をチケット発券前に発券スタンバイ状態にする必要がある。このスタンバイ状態確認を図９のフローチャートおよび図１１乃至図１４を用いて説明する。
【００６９】
チケットプリンタ５のスタンバイ状態であるが、前回のチケット発券状況によってそのスタンバイ状態への移行が異なる（Ｓ１）。
【００７０】
チケット用紙８が装填された状態でチケットプリンタ５の電源が入れられると、チケットプリンタ５の制御部９０はまず初めにスタンバイ確認部１０１にデータが保管されているかを確認する（Ｓ２）。
【００７１】
スタンバイ確認部１０１にデータが保管されていない場合（Ｓ２のＮ）とは、例えば、以下の場合である。チケットプリンタ５に用紙を装填した際、図示しない用紙切れセンサが用紙切れを検知した場合、何らかの理由にてチケットプリンタ５から巻回された状態のチケット用紙８を取り出した後の場合もしくは新規にチケットプリンタ５を設置した場合のいずれかである。
【００７２】
スタンバイ確認部１０１にデータが保管されていない場合（Ｓ２のＮ）、チケットプリンタ５に電源を入れると、チケットプリンタ５はチケット用紙８を搬送させる（Ｓ３）。
【００７３】
図１１及び図１２に、第１のセンサ１７、第２のセンサ１８とチケット用紙８の表面１１、チケット用紙８の裏面１２の位置関係を示す。なお、図１１及び図１２のいずれの図においても、（ａ）はチケット用紙８の表面１１を図２におけるＡ方向から見たもの、（ｂ）はチケット用紙８の裏面１２を図２におけるＢ方向から見たものである。
【００７４】
チケット用紙８は、フィードローラ１４とアイドラローラ１６に挟持され下流側に搬送され、まず初めに第１のセンサ１７はチケット用紙８の裏面１２に設けられているブラックマーク２８を検知する（Ｓ４）。このブラックマーク２８を第１のセンサ１７にて検知するとそのチケット用紙８は定形のチケット用紙であると判断される。
【００７５】
チケット用紙８の裏面１２には予めカットマーク２９、スタートマーク３０、チケット固有データ３１、チェックデジット３２およびエンドマーク３３が存在している。
【００７６】
その後引き続き搬送が継続され、やがてチケット用紙８に設けられているカットマーク２９を第２のセンサ１８が検知する（Ｓ５）。この状態を図１１に示す。
【００７７】
ここで前述の様に、チケットプリンタ５の制御部９０は、スタンバイ確認部１０１にデータが存在していないためカットマーク２９を無視する（Ｓ６）。これによりチケット用紙８はカッタ２１にて切断されることなく引き続き搬送が継続される。
【００７８】
引き続きチケット用紙８の搬送が継続されると、第２のセンサ１８はスタートマーク３０、チケット固有データ３１、チェックデジット３２、エンドマーク３３を順次検知する（Ｓ７からＳ１０）。
【００７９】
しかしながら前述の様に、スタンバイ確認部１０１にデータが入っていないので、カットマーク２９、スタートマーク３０、チケット固有データ３１、チェックデジット３２およびエンドマーク３３は全て無視される（Ｓ１１）。
【００８０】
その後チケットプリンタ５に設けられているＲＯＭ９２は、スタンバイ確認部１０１に“１”のデータを書き込む（Ｓ１２）。これによりこれ以降チケットプリンタ５のスタンバイ確認部１０１にはデータが存在する事となる。
【００８１】
チケットプリンタ５はスタンバイ完了との情報を得るまで、このスタンバイ状態確認を繰り返す。
【００８２】
ここで再びスタンバイ確認部１０１にデータがあるかを確認する（Ｓ２）。なお前述のようにこの時点ではスタンバイ確認部１０１にはデータが存在しているので（Ｓ２のＹ）、チケット用紙８は、引き続き下流側に搬送されると（Ｓ１３）、第１のセンサ１７はチケット用紙８の次のチケット用紙８−２裏面１２に設けられているブラックマーク２８を検知する（Ｓ１４）。
【００８３】
以下２枚目のチケット用紙８はチケット用紙８−２、３枚目のチケット用紙８はチケット用紙８−３と記す。
【００８４】
ブラックマーク２８を第１のセンサ１７にて検知するとそのチケット用紙８は定形のチケット用紙であると判断される。
【００８５】
その後引き続き搬送が継続されると、カットマーク２９を第２のセンサ１８が検知する（Ｓ１５）。
【００８６】
チケットプリンタ５の制御部９０はカットマーク２９を検知すると切断位置補正部８０はドライバ９６を介してフィードローラ１４に駆動信号を送る。
【００８７】
図１２にて、切断位置補正部８０がドライバ９６を介してフィードローラ１４に送る駆動信号について説明する。
【００８８】
図１２に示す様に、第２のセンサ１８がカットマーク２９を検知した時点で、チケット用紙８とチケット用紙８−２の境目であるカット位置３４と、カッタ２１を駆動させた際の実際の切断ライン２１ｃは距離Ｃだけ離れている。この距離Ｃはチケットプリンタ５の第２のセンサ１８と切断ライン２１ｃとの距離及びカットマーク２９とカット位置３４との距離から求められる。
【００８９】
チケットプリンタ５のフィードローラ１４にステッピングモータを用いている場合、何ステップの信号をステッピングモータに与えるかでフィードローラ１４とアイドラローラ１６とに挟持されているチケット用紙８が距離Ｃ分だけ搬送されるかが予め把握できるので、そのステップ数を切断位置補正部８０に記憶させている。
【００９０】
チケットプリンタ５は、第２のセンサ１８がカットマーク２９を検知すると切断位置補正部８０よりフィードローラ１４が距離Ｃ分だけチケット用紙８を搬送する信号を送る。なお図１３に示す様に、第２のセンサ１８がカットマーク２９を検知したとき、カッタ２１の切断ライン２１ｃはカット位置３４のチケット用紙８の搬送方向上流側にある。よって図１２に示す位置関係の場合はチケット用紙８を逆方向へ搬送させる信号を送る（Ｓ１６）。
【００９１】
フィードローラ１４はその信号を受けチケット用紙８を搬送する（Ｓ１７）。その後チケットプリンタ５はカッタ２１を駆動させ、チケット用紙８とチケット用紙８−２とを切り離す（Ｓ１８）。
【００９２】
切り離すにあたっては、切断位置補正部８０より切断ライン２１ｃとカット位置３４とが一致する様にデータを送ってある為、切断ライン２１ｃとカット位置３４が一致する。
【００９３】
なおこのチケット用紙８はスタンバイ状態に移行する為に用い、表面１１にも何の印字も行なっていないため廃棄する。
【００９４】
以上の方法にて新規にプリンタを導入した場合、用紙切れとなった場合若しくは何らかの理由にて用紙を本体より取り出した場合はスタンバイ状態にする。
【００９５】
また前回正常にチケットを発券した場合は後述する様にチケットを発券した時点にて既にスタンバイ位置にて用紙は停止している。
【００９６】
以下図１０のフローチャートを用いてチケット発券方法の一例を示す。
【００９７】
チケット購入希望者は店舗Ａ１に行き（Ｓ２１）、ＰＯＳ端末４のチケット発券条件入力部７３に希望する上映時間、希望する映画名、希望する映画館等の条件を入力する（Ｓ２２）。ＰＯＳ端末４は所定の条件を受け付けると、その条件をＰＯＳ端末４に設けられているデータ送受信部７１経由にてその条件でチケットが購入可能かを外部サーバ１０３に問合せる（Ｓ２３）。外部サーバ１０３は店舗Ａ１のＰＯＳ端末４より送付されてきた条件を条件保管部５４に保管し、その後発券可否判断部５７にてチケット販売情報保管部５３と条件保管部５４とを比較しチケットの発券が可能かを判断しその結果をデータ送受信部５１を経由して店舗Ａ１のＰＯＳ端末４に返信する。
【００９８】
ここでチケット発券不可との返信があった場合（Ｓ２３のＮ）、店舗Ａ１のＰＯＳ端末４は別の条件でチケットを購入するかをチケット購入者に問合せる（Ｓ２４）。ここでチケット購入者が別条件での購入を希望しない場合（Ｓ２４のＮ）、チケットの購入は中止となる（Ｓ２６）。なお、Ｓ２４におけるチケット購入者が別条件での購入を希望しない場合とは、例えば、ＰＯＳ端末４が操作者により入力部を介した「購入終了」が指示されたことを検知した場合である。またチケット購入者が別条件での購入を希望する場合（Ｓ２４のＹ）、新たな条件を入力させ（Ｓ２５）、その条件を再度外部サーバ１０３に送信し、その条件でチケットが購入可能かを外部サーバ１０３に問合せる（Ｓ２３）。
【００９９】
外部サーバ１０３は店舗Ａ１のＰＯＳ端末４より送付されてきた条件でチケットが発券可能との返信を店舗Ａ１のＰＯＳ端末４に送信した場合（Ｓ２３のＹ）、店舗Ａ１のＰＯＳ端末４はチケット発券指令部７５より外部サーバ１０３に対してチケット発行依頼を送信する（Ｓ２７）。言い換えると、店舗Ａ１のＰＯＳ端末４は、発券可能の返信を外部サーバ１０３から受信し（Ｓ２３のＹ）、ＰＯＳ端末４はチケット発券指令部７５より外部サーバ１０３に対してチケット発券以来を送信する（Ｓ２７）。
【０１００】
外部サーバ１０３はこの発行依頼を受けると、チケットデータ送信部５６は店舗Ａ１のＰＯＳ端末４のチケットデータ保管部７４に向けチケットデータを送信する（Ｓ２８）と共に外部サーバ１０３のチケットデータ保管部５５にチケットデータを保管する（Ｓ２９）。その後外部サーバ１０３のチケット販売情報保管部５３より前記チケットデータを削除する。
【０１０１】
その後店舗Ａ１のＰＯＳ端末４は、チケットデータ保管部７４のデータをチケットプリンタ５に送信する。
【０１０２】
チケットプリンタ５は、チケット用紙８の表面１１にチケットデータを順次印字する（Ｓ３０）。
【０１０３】
チケットプリンタ５はチケット用紙８の表面１１にチケットデータを順次印刷しながら、これと並行して第２のセンサ１８にてスタートマーク３０、チケット固有データ３１、チェックデジット３２およびエンドマーク３３を検知し（Ｓ３１からＳ３４）、エンドマーク３３を検知するとＰＯＳ端末４のチケット固有データ保管部７２にチケット固有データ３１を送る（Ｓ３５）。
【０１０４】
その後ＰＯＳ端末４はチケット固有データ保管部７２のデータをチケット固有データ送信部７６から外部サーバ１０３のチケット固有データ保管部６１へ送る。
【０１０５】
その後チケット固有データ保管部６１のデータとチケットデータ保管部５５のデータとをつなぎ合わせて関連付けデータ保管部６０に保管する。
【０１０６】
発券されたチケットに対し何らかの理由でそのチケットの発券内容を追跡することとなった場合、追跡データ条件入力部５９に追跡対象データを入力する事で関連付けデータ保管部６０から対象のチケットの情報を得る事が可能となる。
【０１０７】
以上の様に、チケットプリンタ５は切断位置補正部８０を有しており、この切断位置補正部８０のデータを元にカットマーク２９検知後にチケット用紙８を搬送させ切断ライン２１ｃとカット位置３４とを一致させる。これにより予めチケット用紙８とチケット用紙８−２とのカット位置３４近傍に印字されていた文字等を正規のラインでない位置で切り離してしまうことによる正しくないチケットの発行を防ぐことが可能となる。
【０１０８】
（第２の実施形態）
図１３に第２の実施形態を示す。図１３に示す様に、第２の実施形態は、第２のセンサ１８にてカットマーク２９を検知した時点において、カッタ２１の切断ライン２１ｃとカット位置３４とが一致している。
【０１０９】
チケット用紙８は、フィードローラ１４とアイドラローラ１６にて挟持されて搬送される。チケットプリンタ５の購入当初等チケット用紙８とフィードローラ１４やアイドラローラ１６との摩擦力が低下していない時は、カットマーク２９検知後に切断位置補正部８０のデータを用いてチケット用紙８を搬送させると切断ライン21ｃとカット位置３４が一致する。
【０１１０】
しかしながら経年変化によりフィードローラ１４やアイドラローラ１６の表面の摩擦力が低下したり、紙粉等がフィードローラ１４やアイドラローラ１６とチケット用紙８との間に入る事による摩擦力の低下、チケットプリンタ５の設置されている場所の環境変化等によりチケット用紙８とフィードローラ１４やアイドラローラ１６との間で滑りが発生し、これにより切断位置補正部８０のデータを用いてチケット用紙８を搬送させても切断ライン２１ｃとカット位置３４とが一致しなくなってしまう。この不一致は図１２におけるＣの距離が長ければ長いほど発生しやすくなる。
【０１１１】
その点、第２の実施形態では、第２のセンサ１８にてカットマーク２９を検知した時点においてカッタ２１の切断ライン２１ｃとカット位置３４とが一致する様に設定してある。
【０１１２】
これにより仮に前記滑りが発生するような状況下においても正しいカット位置３４にてチケット８とチケット８−２とを切り離す事が可能となる。
【０１１３】
（第３の実施形態）
図１４に第３の実施形態を示す。
【０１１４】
図１４に示す様に、第３の実施形態は、第２のセンサ１８にてカットマーク２９を検知した時点において、カッタ２１の切断ライン２１ｃはカット位置３４より用紙搬送方向下流側に存在している。（図１４における距離Ｄだけ下流側に存在）
チケットプリンタ５にてチケットを発行する場合、連続して発行する場合もある。この場合、第１の実施形態のチケットプリンタ５においては、カットマーク２９を検知後一度逆方向に搬送させ、カット位置３４と切断ライン２１ｃを一致させ、その後カッタ２１にてチケット用紙８とチケット用紙８−２を切り離す。その後次のチケット発行の為にチケット用紙８−２を搬送させる。
【０１１５】
この様に、チケットを連続で発行させる場合、切断をする際にチケット用紙８の逆方向への搬送が入る事となる。
【０１１６】
その点第３の実施形態においては、第２のセンサ１８にてカットマーク２９を検知した時点において、カッタ２１の切断ライン２１ｃはカット位置３４より用紙搬送方向下流側に存在している。この為カットマーク２９を検知後にカット位置３４と切断ライン２１ｃを一致させカッタ２１にてチケット用紙８とチケット用紙８−２を切り離す場合においても、その後の次のチケット発行のためのチケット用紙８−２の搬送方向は同一である。これにより第１の実施形態に比べチケット発行時間の短縮が可能となる。
【０１１７】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【０１１８】
１・・店舗Ａ
４・・ＰＯＳ端末
５・・チケットプリンタ
８・・チケット用紙
１７・・第１のセンサ
１８・・第２のセンサ
１９・・プラテンローラ
２０・・サーマル印字ヘッド
２１・・カッタ
３１・・チケット固有データ
１０３・・外部サーバ
１０５・・チケット販売システム
【図１】
2014040072.tif 000003
【図２】
2014040072.tif 000004
【図３】
2014040072.tif 000005
【図４】
2014040072.tif 000006
【図５】
2014040072.tif 000007
【図６】
2014040072.tif 000008
【図７】
2014040072.tif 000009
【図８】
2014040072.tif 000010
【図９】
2014040072.tif 000011
【図１０】
2014040072.tif 000012
【図１１】
2014040072.tif 000013
【図１２】
2014040072.tif 000014
【図１３】
2014040072.tif 000015
【図１４】
2014040072.tif 000016